(57)【要約】      （修正有）【課題】小型で持ち運びが容易なグレネードランチャーを提供する。【解決手段】グレネードランチャー１は、円筒形のパイプを円筒の中心軸の下側で切り落とした形状であり、切り落とした部分の上側の幅が変動する弾性を有するカート取付部１０と、カート取付部の上側に設けられ、円筒の中心軸と平行に所定の幅のレールが挿入されて係合されるレール取付部２０と、カート取付部の延伸方向の一端にカート取付部から２〜５ｍｍ離間して設けられ、円筒の中心軸と鉛直な面を有し円筒と略同径の円盤状であるガイドプレート３０と、ガイドプレートの中央の孔からカート取付部に向けて突出する棒体、及び棒体と一体であり棒体のカート取付部と反対の側に設けられた押圧体４２を備え、押圧体がカート取付部から離間するように付勢されるプッシュトリガー４０と、を備える。【選択図】図１
0003224556.tif 000002
【実用新案登録請求の範囲】
【請求項１】
円筒形のパイプを該円筒の中心軸の下側で切り落とした形状であり、前記切り落とした部分の上側の幅が変動する弾性を有するカート取付部と、
前記カート取付部の上側に設けられ、前記円筒の中心軸と平行に所定の幅のレールが挿入されて係合されるレール取付部と、
前記カート取付部の延伸方向の一端に前記カート取付部から２〜５ｍｍ離間して設けられ、前記円筒の中心軸と鉛直な面を有し前記円筒と略同径の円盤状であるガイドプレートと、
前記ガイドプレートの中央の孔から前記カート取付部に向けて突出する棒体と、前記棒体と一体であり前記棒体の前記カート取付部と反対の側に設けられた押圧体とを備え、前記押圧体が前記カート取付部から離間するように付勢されるプッシュトリガーとを備えることを特徴とする、グレネードランチャー。
【請求項２】
前記カート取付部は、前記プッシュトリガー側の端部に前記円筒の内面から中心に向けて１〜２ｍｍ突出したフランジ把持部とを備えることを特徴とする、請求項１に記載のグレネードランチャー。
【請求項３】
前記ガイドプレートは、その下側に下に向けて突出した指掛け部を備えることを特徴とする、請求項１又は２に記載のグレネードランチャー。
【請求項４】
前記プッシュトリガーは、前記カート取付部と反対側の面に移動可能に配置され、該移動によって、（１）前記押圧体の移動を妨げて前記棒体が前記カート取付部に向けて突出することがない止弾状態と、（２）前記押圧体の移動を妨げずに前記棒体が前記カート取付部に向けて突出することができる発弾状態とを実現する、ストッパを備えることを特徴とする、請求項１〜３のいずれか１項に記載のグレネードランチャー。
【請求項５】
請求項１〜４のいずれか１項に記載の前記カート取付部、前記ガイドプレート及び前記プッシュトリガーをそれぞれ２つ備え、
２つの前記プッシュトリガーの２つの前記押圧体を同時に押圧する共有押圧板を備えることを特徴とする、グレネードランチャー。
【考案の詳細な説明】
【技術分野】
【０００１】
本考案は、グレネードランチャーに関する。
【背景技術】
【０００２】
従来、ゲーム等に用いられる発射機として、特許文献１及び非特許文献１に開示されているグレネードランチャーが存在する。このグレネードランチャーは、弾丸装填用のカートをセットするパイプ及び弾丸発射のトリガーとなる引き金を備え、弾丸を高圧ガスで発射する仕組みとなっている。
【先行技術文献】
【特許文献】
【０００３】
【特許文献１】特開２０１３−０１５３０６号公報
【考案の概要】
【考案が解決しようとする課題】
【０００４】
従来のグレネードランチャーは大型であるため、持ち運びに不便であった。また、パイプの開口からカートを挿入してパイプ内にセットするのに手間がかかっていた。
【０００５】
本考案は、小型で持ち運びが容易なグレネードランチャーを提供することを課題とする。
また、本考案は、カートを容易にセットすることができるグレネードランチャーを提供することを課題とする。
【課題を解決するための手段】
【０００６】
本考案のグレネードランチャーは、
円筒形のパイプを該円筒の中心軸の下側で切り落とした形状であり、前記切り落とした部分の上側の幅が変動する弾性を有するカート取付部と、
前記カート取付部の上側に設けられ、前記円筒の中心軸と平行に所定の幅のレールが挿入されて係合されるレール取付部と、
前記カート取付部の延伸方向の一端に前記カート取付部から２〜５ｍｍ離間して設けられ、前記円筒の中心軸と鉛直な面を有し前記円筒と略同径の円盤状であるガイドプレートと、
前記ガイドプレートの中央の孔から前記カート取付部に向けて突出する棒体と、前記棒体と一体であり前記棒体の前記カート取付部と反対の側に設けられた押圧体とを備え、前記押圧体が前記カート取付部から離間するように付勢されるプッシュトリガーとを備えることを特徴とする。
【０００７】
この特徴によれば、カート取付部は、円筒形のパイプを該円筒の中心軸の下側で切り落とした形状であるため、小型で持ち運びが容易である。また、カート取付部は、切り落とした部分の上側の幅が変動する弾性を有するため、カートを下側から容易にセットすることができる。また、レール取付部に例えば銃の形状の把持具の一部に設けられたレールを嵌合させて、グレネードランチャーを把持具に取付けることができる。ここで、「所定の幅」はレールの設計によって定まるが、多くの把持具は２０ｍｍ幅のレールを有しており、２０ｍｍとすることができる。
【０００８】
本考案のグレネードランチャーは、
前記カート取付部は、前記プッシュトリガー側の端部に前記円筒の内面から中心に向けて１〜２ｍｍ突出したフランジ把持部とを備えることを特徴とする。
【０００９】
この特徴によれば、フランジ把持部にカートのフランジを係合させることにより、カート取付部に取り付けられたカートの位置がずれたりカートが落下するのを防ぐことができる。
【００１０】
本考案のグレネードランチャーは、
前記ガイドプレートは、その下側に下に向けて突出した指掛け部を備えることを特徴とする。
【００１１】
この特徴によれば、グレネードランチャーの使用者は、指掛け部に指を掛けて押圧体を押圧することができる。
【００１２】
本考案のグレネードランチャーは、
前記プッシュトリガーは、前記カート取付部と反対側の面に移動可能に配置され、該移動によって、（１）前記押圧体の移動を妨げて前記棒体が前記カート取付部に向けて突出することがない止弾状態と、（２）前記押圧体の移動を妨げずに前記棒体が前記カート取付部に向けて突出することができる発弾状態とを実現する、ストッパを備えることを特徴とする。
【００１３】
この特徴によれば、意図せずに押圧体が押圧されて発弾するのを防ぐことができる。
【００１４】
本考案のグレネードランチャーは、
前記カート取付部、前記ガイドプレート及び前記プッシュトリガーをそれぞれ２つ備え、
２つの前記プッシュトリガーの２つの前記押圧体を同時に押圧する共有押圧板を備えることを特徴とする。
【００１５】
この特徴によれば、使用者が共有押圧板を押圧することで、共有押圧板が２つの押圧体を同時に押圧し、２つのカートから発弾することができる。
【考案の効果】
【００１６】
本考案によれば、カート取付部は、円筒形のパイプを該円筒の中心軸の下側で切り落とした形状であるため、小型で持ち運びが容易である。また、カート取付部は、切り落とした部分の上側の幅が変動する弾性を有するため、カートを下側から容易にセットすることができる。
【図面の簡単な説明】
【００１７】
【図１】図１は、本考案の実施形態に係るグレネードランチャーの側面図である。
【図２】図２は、同実施形態に係るグレネードランチャーの背面図である。
【図３】図３は、同実施形態に係るグレネードランチャーの正面図である。
【図４】図４は、同実施形態に係るグレネードランチャーを下から見た図である。
【図５】図５は、グレネードランチャーの使用状態を示す図である。
【図６】図６は、カートの取付け・取外しを示す図である。
【図７】図７は、変形例に係るグレネードランチャーの背面図である。
【図８】図８は、変形例に係るグレネードランチャーを下から見た図である。
【考案を実施するための形態】
【００１８】
以下、本考案の実施形態について図面を参照して説明する。
図１は本考案の実施形態に係るグレネードランチャー１の側面図、図２は使用者が操作する側の面である背面図、図３は弾丸が発射される側の面である正面図、図４はグレネードランチャー１を下から見た図である。
【００１９】
グレネードランチャー１は、弾丸が装填される円筒形のカート（不図示）が取り付けられる樹脂製のカート取付部１０を有している。当該カート取付部１０は、円筒形のパイプを当該円筒の中心軸の下側で切り落とした形状を有しており、当該切り落とした部分の上側の幅が変動する弾性を有している。カート取付部１０の円筒の径は、カートの径よりも若干小さく形成されている。
【００２０】
カート取付部１０がこのような形状及び弾性を有していることにより、カート取付部１０にカートを取り付ける際には、カート取付部１０の下側の幅を拡大させてカートを下側から容易にセットすることができる。また、カート取付部１０にカートをセットした後は、カート取付部１０の下側の幅が縮小して元の状態に戻るため、カート取付部１０からカートが落下し難い。
【００２１】
当該カート取付部１０の上側には、当該カート取付部１０の円筒の中心軸と平行に所定の幅のレールが挿入されて係合されるレール取付部２０が設けられている。このレール取付部２０にハンドガンのアンダーレールを挿入することで、グレネードランチャー１をハンドガンに取り付けた状態で使用することができる。なお、取り付けるものはハンドガンに限定されることはなく、幅が合えばレール取付部２０を任意のレールに取り付けることができる。
【００２２】
カート取付部１０の延伸方向の一端には、当該カート取付部１０から２〜５ｍｍ離間した位置にガイドプレート３０が設けられている。当該ガイドプレート３０は、カート取付部１０の円筒の中心軸と鉛直な面を有し、当該円筒と略同径の円盤状を有している。ガイドプレート３０の円盤の中心部には、当該円盤の厚さ方向に貫通する孔３１が設けられている。ガイドプレート３０の下部には、下に向けて突出した指掛け部３２が設けられている。
【００２３】
ガイドプレート３０のカート取付部１０側と反対の側には、弾丸発射のトリガーとなるプッシュトリガー４０が設けられている。当該プッシュトリガー４０は、発弾時にガイドプレート３０の中央の孔３１からカート取付部２０に向けて突出する棒体４１と、当該棒体４１と一体であり当該棒体４１の当該カート取付部２０と反対の側の端部に設けられた押圧体４２と、を備えている。押圧体４２とガイドプレート３０との間にはつるまき状のバネ４３が設けられており、当該バネ４３内に棒体４１が挿通されている。押圧体４２は当該バネ４３によりカート取付部１０から離間するように付勢されている。
【００２４】
使用者が指掛け部３２に指を掛けて押圧体４２をグレネードランチャー１の背面側から押圧することにより、バネ４３が圧縮され押圧体４２がカート取付部１０に近づく方向に移動する。これにより、棒体４１も押圧体４２に連動して移動し、ガイドプレート３０の孔３１から棒体４１の先端部がカート取付部１０側に突出する。これにより、カート取付部１０に取り付けられたカートのガイドプレート３０側の中央部が棒体４１の先端部により押し込まれ、カート内のガス圧により弾丸が発射される。
【００２５】
ガイドプレート３０のカート取付部１０と反対側の面にはストッパ４４が移動可能に配置されている。ストッパ４４の移動によって、（１）押圧体４２の移動を妨げて棒体４１がカート取付部１０に向けて突出することがない止弾状態と、（２）押圧体４２の移動を妨げずに棒体４１がカート取付部１０に向けて突出することができる発弾状態と、が実現される。止弾状態とすることにより、意図せずに押圧体４２が押圧されて発弾するのを防ぐことができる。
【００２６】
止弾状態及び発弾状態を実現する構成は任意の構成を採用することができるが、本実施形態では、ストッパ４４を押圧体４２の横のガイドプレート３０面に回転ピン４４１で固定し、回転ピン４４１を中心としてストッパ４４を回動可能とする。止弾状態では、ストッパ４４を押圧体４２とガイドプレート３０との間に移動させて、押圧体４２がカート取付部１０に近づく方向に移動できないようにする。一方、発弾状態では、ストッパ４４を押圧体４２とガイドプレート３０との間に存在しない位置に移動させることで、押圧体４２をカート取付部１０に近づく方向に移動可能とし、棒体４１がガイドプレート３０の孔３１からカート取付部１０側に突出可能とする。
【００２７】
カート取付部１０のプッシュトリガー４０側の端部には、カート取付部１０の円筒の内面から中心に向けて１〜２ｍｍ突出したフランジ把持部１１が設けられている。このフランジ把持部１１にカートのフランジを係合させることにより、カート取付部１０に取り付けられたカートの位置がずれたりカートが当該カート取付部１０から落下するのを防ぐことができる。
【００２８】
図５は、グレネードランチャーの使用状態を示す図である。カート取付部１０に、カート５０が挿入されて取り付けられ、レール取付部２０がレール６０に係合している。
【００２９】
カート５０は、溝５１の外側にフランジ５２が設けられている。フランジ把持部１１がフランジ５２と接合し、カート５０がカート取付部１０から離脱いて落下するのを防いでいる。
【００３０】
レール６０は、例えば銃の形状の把持具の一部に設けられた、レール取付部２０に嵌合する形状の部分である。把持具を手に持ってグレネードランチャー１を使用することができる。レール取付部２０にレール６０を嵌合させ、グレネードランチャー１を把持具に固定することができる。
【００３１】
図６は、カートの取付け・取外しを示す図である。図６（Ａ）は、図５におけるＡ−Ａ線の断面を示す。カート５を取付けた状態で、カート取付部１０は一点鎖線で示すカート５０の中心よりも下側に伸びた弾性端部１０ａを有する。弾性端部１０ａによって、カート５０の落下を防ぐことができる。
【００３２】
また、レール取付部２０にはレール６０が係合している。
【００３３】
図６（Ａ）は、カート５０の取付け・取外しを示す。弾性端部１０ａの弾性によってカート取付部１０の下側の開口幅が変動するので、図中太矢印で示すように、カート５０を上下に移動させて、取付け・取外しをすることができる。
【００３４】
以上説明したように、カート取付部１０は、円筒形のパイプを該円筒の中心軸の下側で切り落とした形状であるため、小型で持ち運びが容易である。また、カート取付部１０は、切り落とした部分の上側の幅が変動する弾性を有するため、カートを下から容易にセットすることができる。
【００３５】
次に、本考案の変形例に係るグレネードランチャー１Ａについて説明する。図７は、本考案の変形例に係るグレネードランチャー１Ａの背面図であり、図８は下から見た図である。
【００３６】
当該グレネードランチャー１Ａの基本的形状は、２つのグレネードランチャー１をカート取付部１０の延伸方向に並列し、当該２つのカート取付部１０の側面同士を結合した形状を有している。すなわち、グレネードランチャー１Ａは、グレネードランチャー１のカート取付部１０、ガイドプレート３０及びプッシュトリガー４０をそれぞれ２つ備えている。
【００３７】
グレネードランチャー１Ａの背面中央部には、左右の２つのプッシュトリガー４０の２つの押圧体４２を同時に押圧する共有押圧板４５が設けられている。また、グレネードランチャー１Ａの上面中央部には、カート取付部１０の延伸方向に伸びびるレール取付部２０Ａが設けられている。
【００３８】
使用者が共有押圧板４５を押圧すると、当該共有押圧板４５により２つの押圧体４２が同時に押圧される。これにより、２つのカート取付部１０それぞれにとるつけられたカートそれぞれから同時に発弾することができる。
【産業上の利用可能性】
【００３９】
本考案に係るグレネードランチャーは、小型で持ち運びが容易であり、カートを容易にセットすることができるため、ゲーム、護身、防犯、警備等に利用することができる。
【符号の説明】
【００４０】
１、１Ａ  グレネードランチャー
１０    カート取付部
１１    フランジ把持部
２０、２０Ａ  レール取付部
３０    ガイドプレート
３１    孔
３２    指掛け部
４０    プッシュトリガー
４１    棒体
４２    押圧体
４３    バネ
４４    ストッパ
４４１  回転ピン
４５    共有押圧板
５０    カート  
５１    溝
５２    フランジ
６０    レール
【図１】
0003224556.tif 000003
【図２】
0003224556.tif 000004
【図３】
0003224556.tif 000005
【図４】
0003224556.tif 000006
【図５】
0003224556.tif 000007
【図６】
0003224556.tif 000008
【図７】
0003224556.tif 000009
【図８】
0003224556.tif 000010